(57)【要約】      （修正有）【課題】パスワードなどの文字入力をおこなう電子機器において、文字を適切に入力させる方法を提供する。【解決手段】本体ケースと、この本体ケースの外表面に設けられたタッチ入力式の表示部５と、この表示部５に接続された制御部と、を備える。制御部は、文字群を選択する文字群ボタン１４が配置された第１画面１２を表示部５に表示させ、この文字群ボタン１４が操作されると第１画面１２を消去して、文字を確定する文字ボタンが配置された第２画面を表示部５に表示させる。【選択図】図４
2016031550.tif 000002
【特許請求の範囲】
【請求項１】
本体ケースと、この本体ケースの外表面に設けられたタッチ入力式の表示部と、この表示部に接続された制御部と、を備え、
前記制御部は、文字群を選択する文字群ボタンが配置された第１画面を前記表示部に表示させ、この文字群ボタンが操作されると前記第１画面を消去して、文字を確定する文字ボタンが配置された第２画面を前記表示部に表示させる構成とした、電子機器。
【請求項２】
前記第２画面は、前記第１画面と同形状で同サイズとした、請求項１に記載の電子機器。
【請求項３】
前記制御部は、前記第２画面に、数値を確定する数値ボタンを前記文字ボタンと共に表示させる、請求項１または２に記載の電子機器。
【請求項４】
前記表示部は、感圧式のタッチパネルとした、請求項１から３のいずれか一つに記載の電子機器。
【請求項５】
前記制御部は、前記第２画面に、複数の前記文字ボタンを表示させると共に、これら文字ボタンを離間させて表示させる、請求項１から４のいずれか一つに記載の電子機器。
【請求項６】
前記制御部は、前記第１画面で前記文字群ボタンが操作されると、この文字群ボタンに対応する前記数値ボタンを前記第２画面にアニメーション表示させる構成とした、請求項３から５のいずれか一つに記載の電子機器。
【請求項７】
前記制御部は、前記第２画面で、前記文字ボタンと前記数値ボタンの表示色を異ならせた、請求項３から６のいずれか一つに記載の電子機器。
【請求項８】
前記制御部は、数値入力モードを有し、
数値入力モードの時には、数値０から９を決定する前記数値ボタンを、前記第１画面に複数個表示させる、請求項３から７のいずれか一つに記載の電子機器。
【請求項９】
文字群を選択する文字群ボタンが配置された第１画面を表示部に表示させ、この文字群ボタンが操作されると前記第１画面を消去して、文字を確定する文字ボタンが配置された第２画面を前記表示部に表示させ、前記文字ボタンが選択されると入力文字が一文字確定される、文字入力方法。
【請求項１０】
前記第２画面に、数値を確定する数値ボタンを前記文字ボタンと共に表示させる、請求項９に記載の文字入力方法。
【請求項１１】
前記第１画面で前記文字群ボタンが操作されると、この文字群ボタンに対応する前記数値ボタンを第２画面にアニメーション表示させる、請求項１０に記載の文字入力方法。
【請求項１２】
前記第２画面では、前記文字ボタンと前記数値ボタンの表示色を異ならせる、請求項１０または１１に記載の文字入力方法。
【請求項１３】
数値入力モードを有し、
前記数値入力モードの時には、数値０から９を決定する前記数値ボタンを、前記第１画面に複数個表示させる、請求項１０から１２のいずれか一つに記載の文字入力方法。
【発明の詳細な説明】
【技術分野】
【０００１】
本発明は、たとえばパスワードなどの文字入力をおこなう電子機器と、文字入力方法に関するものである。
【背景技術】
【０００２】
従来のこの種、文字入力を行う電子機器の構成は、以下のような構成となっていた。
すなわち、本体ケースと、この本体ケースの外表面に設けられたタッチ入力式の表示部と、この表示部に接続された制御部と、を備えていた。そして、制御部は、文字群を選択する文字群ボタンが配置された第１画面を表示部に表示させ、この文字群ボタンが操作されると第１画面の上に、文字を確定する文字ボタンが配置された第２画面をウィンドウ表示させていた。使用者は、このウィンドウに表示された文字ボタンを操作して文字入力を行う構成となっていた（たとえば、下記特許文献１。）。
【先行技術文献】
【特許文献】
【０００３】
【特許文献１】特開２００５−９２４４１号公報
【発明の概要】
【発明が解決しようとする課題】
【０００４】
上記従来例においては、適切な文字入力を行うことができないことがあった。
すなわち、電子機器が病院などで使用される血糖値を測定する測定器である場合、使用者がパスワードを入力する時がある。このような文字入力を行う時には、第１画面で文字群ボタンが操作されると、第１画面の上に、文字ボタンを有する第２画面がウィンドウで表示される。
【０００５】
このため、第２画面の文字ボタンを操作する時に、第１画面の文字群ボタンも見えてしまうので、繁忙な病院業務においては、誤って第１画面の文字群ボタンを操作してしまい、その結果、文字を適切に入力することができないことがあった。
そこで本発明は、文字を適切に入力させることを目的とする。
【課題を解決するための手段】
【０００６】
そして、この目的を達成するために本発明は、本体ケースと、この本体ケースの外表面に設けられたタッチ入力式の表示部と、この表示部に接続された制御部と、を備え、前記制御部は、文字群を選択する文字群ボタンが配置された第１画面を前記表示部に表示させ、この文字群ボタンが操作されると前記第１画面を消去して、文字を確定する文字ボタンが配置された第２画面を前記表示部に表示させる構成とし、これにより所期の目的を達成するものである。
【発明の効果】
【０００７】
以上のように本発明の制御部は、文字群を選択する文字群ボタンが配置された第１画面を前記表示部に表示させ、この文字群ボタンが操作されると前記第１画面を消去して、文字を確定する文字ボタンが配置された第２画面を前記表示部に表示させる構成としたものである。
このため、第２画面が表示された時には第１画面は消去されるので、第２画面の文字ボタンの操作時に第１画面が見えてしまうことがなく、繁忙な病院業務時に、誤って第１画面の文字群ボタンを操作してしまう事などがない。
【０００８】
その結果、文字を適切に入力させることができるものとなる。
【図面の簡単な説明】
【０００９】
【図１】本発明の一実施形態に係る電子機器の使用状態を示す斜視図。
【図２】同、制御ブロック図。
【図３】同、動作フローチャート。
【図４】同、表示部の表示を示す図。
【図５】同、表示部の表示を示す図。
【図６】同、動作フローチャート。
【図７】同、表示部の表示を示す図。
【図８】同、表示部の表示を示す図。
【図９】同、表示部の表示を示す図。
【発明を実施するための形態】
【００１０】
以下、本発明の一実施形態を、たとえば、病院において血糖値を測定する測定器に適用した場合を例にして説明する。
（実施の形態１）
図１において、１は、例えば血糖値などの生体情報を測定する測定器（電子機器の一例）で、病院で使用されるものである。ほぼ平板形状に形成された本体ケース１ａの一端側には、血糖値センサ２が装着されるセンサ装着部３と、バーコードから各種ＩＤ（識別情報）を読み取るバーコードリーダ４が設けられている。つまり、病院業務においては、誰が、どの血糖値センサ２で、どの患者から測定したかの履歴を残すことがある。これに対応させるため、測定器１にバーコードリーダ４を設け、測定時に、使用者ＩＤ、センサＩＤ、患者ＩＤなどの測定情報を読み取るようになっている。
【００１１】
本体ケース１ａの上面（外表面）には、この上面のほぼ全域に長方形のタッチ入力式の表示部５が設けられ、この表示部５の外周部に電源ボタン６が設けられている。
図２は、測定器１の制御ブロック図であり、センサ装着部３には血糖値を測定する測定部７が接続され、この測定部７は制御部８に接続されている。この制御部８には、バーコードリーダ４、表示部５、電源ボタン６が接続されると共に、この制御部８の動作プログラムが格納された記憶部９が接続されている。
【００１２】
図３は、測定器１の動作フローチャートで、使用者は電源ボタン６をＯＮした後（図３のＳ１）、バーコードリーダ４を用いて使用者自身のバーコードをスキャンし、このバーコードから読み込まれた使用者ＩＤを記憶部９に記憶させる（図３のＳ２）。
その後、使用者と使用者ＩＤが一致していることを認証するために、使用者がパスワードを入力すると、制御部８が使用者認証を行う（図３のＳ３）。
【００１３】
このパスワードの入力については、後で詳細に説明する。
使用者認証の後、使用者は患者のバーコードおよびセンサ収納ボトル（図示せず）のバーコードから患者ＩＤ、センサＩＤを読み取り、記憶部９に記憶させる（図３のＳ４）。
そして、図１のごとく、血糖値センサ２をセンサ装着部３に装着すると、センサ装着部３がセンサの挿入を検出し（図３のＳ５）、その後、患者の血液が血糖値センサ２の点着部２ａに点着されると、測定部７により血糖値が測定されて（図３のＳ６）、その値が表示部５に表示される（図３のＳ７）。
【００１４】
その後、使用者が血糖値センサ２を測定器１から取り外すと、コメント入力画面が表示され、必要であれば病院業務におけるコメントを入力することがでる。例えば、「患者が間食した」など、測定値（血糖値）の異常について気づいたコメントを入力することができる（図３のＳ８）。
そして、電源ボタン６をＯＦＦすると、一連の測定が終了する（図３のＳ９）。
【００１５】
使用者は、次の患者の所に行って、再びＳ１からＳ９の測定動作を行うこととなる。
以上の説明において、本実施形態における基本的な構成および動作が理解された所で、以下、本実施形態における特徴点について説明する。
本実施形態においては、図４に示すように、タッチ入力式の表示部５の表示エリアを３分割し、共通情報を表示する表示エリアＡ、文字入力を行う文字入力エリアＢ、共通情報を表示する表示エリアＣとしている。
【００１６】
上部の表示エリアＡには、文字入力エリアＢで選択された文字が、文字列として表示される文字ボックス１０が設けられている。この文字ボックス１０には、例えば、アルファベット文字、数値文字が、文字列として表示される。
下部の表示エリアＣには、動作の基本キー１１としてバックキー、ヘルプキー、ホームキーが設けられている。
【００１７】
そして、文字が入力される時、つまり、図３のＳ３でパスワードが求められる時、もしくは図３のＳ８でコメントを入力する時、には、文字入力エリアＢに第１画面１２（図４）、第２画面１３（図５）を順に表示し、２段階の操作で文字入力を行う。
具体的に、図６のフローチャートを用いて説明する。
文字入力を行う時には（図６のＳ１）、図４に示すように、制御部８は、文字群を選択するための文字群ボタン１４が配置された第１画面１２を、表示部５の文字入力エリアＢに表示させる（図６のＳ２）。
【００１８】
第１画面１２には、３×４の１２個のボタンが配置され、この中の文字群ボタン１４には、数値「２〜９」、「０」が表記されている。さらに、それぞれの文字群ボタン１４に関連づけられた文字群が表記されている。例えば、数値「２」が表記された文字群ボタン１４には、関連づけられた「Ａ」、「Ｂ」、「Ｃ」の文字が表記され、数値「７」が表記された文字群ボタン１４には、関連づけられた「Ｐ」、「Ｑ」、「Ｒ」、「Ｓ」の文字群が表記されている。ただし、数値「１」が表記された数値ボタン１６は、文字が関連づけられていない。
【００１９】
この第１画面１２において、１２個のボタン表記および配列は、現在一般に流通されている携帯電話の配置と同じにしているので、違和感なく操作できるものとなっている。
使用者により、この文字群ボタン１４の一つが操作されると（図６のＳ３）、例えば「２」が表記された文字群ボタン１４が操作されると、制御部８は、この第１画面１２を消去し、図５（ａ）のごとく、一文字を確定するための文字ボタン１５が配置された第２画面１３を表示させる。つまり、第１画面１２を消して、その代わりに第２画面１３を表示させる（図６のＳ４）。
【００２０】
また、第２画面１３は第１画面１２と同形状で同サイズとしている。
すなわち、第２画面１３が表示された時には第１画面１２は完全に消去されるので、第２画面１３の文字ボタン１５の操作時に第１画面１２が見えてしまうことがなく、繁忙な病院業務時に、誤って第１画面１２の文字群ボタン１４を操作してしまう事などがない。
その結果、文字を適切に入力させることができるものとなる。
【００２１】
この第２画面１３には、例えば、「２」が表記された文字群ボタン１４に関連づけられた文字「Ａ」、「Ｂ」、「Ｃ」が、文字ボタン１５に表記されると共に、この文字ボタンに関連する文字として小文字「ａ」「ｂ」「ｃ」が文字ボタン１５として表示される。つまり、第２画面１３には、複数個の文字ボタン１５が表示される。
なお、制御部８は、第２画面１３に、数値「２」〜「９」、「０」を確定する数値ボタン１６を文字ボタン１５と共に表示させているので、第２画面１３では、アルファベット文字と共に数値も選択することができる。
【００２２】
そして、文字ボタン１５あるいは数値ボタン１６が操作されると（図６のＳ５）、制御部８は、表記された文字あるいは数値を選択文字として確定し、この確定された一文字を文字ボックス１０の文字列に追加する（図６のＳ６）。
その後、図６のＳ２に制御を戻し、この第２画面１３を消去して、再び図４の第１画面１２を表示する。このため、第１画面１２を操作する時には、第２画面１３は消されているので、第１画面１２の文字群ボタン１４を適切に操作することができる。
【００２３】
その結果、文字を適切に入力させることができるものとなる。
そして、図６のＳ３で文字群ボタン１４の代わりに、図４の文字列決定ボタン１７が操作されると（図６のＳ７）、制御部８は、文字ボックス１０の文字列を選択した文字列として決定する（図６のＳ８）。
なお、文字群ボタン１４、あるいは文字列決定ボタン１７が操作されるまで、制御部８は、図６のＳ３、Ｓ７を繰り返す。
【００２４】
この文字列の入力は、上述のごとく、血糖値の測定時に実行される。
すなわち、病院業務の測定においては、血液汚染を防止するために手袋が着用されるが、この手袋着用状態での文字入力に対応するため、本実施形態の表示部５は、感圧式のタッチパネルとしている。
さらに、本実施形態の制御部８は、図５のごとく、第２画面１３に複数の文字ボタン１５を表示させる時に、この文字ボタン１５を離間させて表示させている。このため、第１画面１２から第２画面１３に代わった時に、文字ボタン１５は離間されて表示されるので、使用者は、自然な動作として、一旦、表示部５から指を離し、続く動作で目的の文字ボタン１５を押下することになる。つまり、感圧式のタッチパネルに適した動作を誘導することができる。
【００２５】
さらに、本実施形態の第２画面１３は、上述のごとく、第１画面１２と同形状で同サイズにしているので、第１画面と同様に大きく構成することができる。このため、第２画面１３上に多数の文字ボタン１５を表示することができる。例えば、図４で「７」が表記された文字群ボタン１４が選択された時も、図５（ｂ）に示すように、「７」、「Ｐ」、「Ｑ」、「Ｒ」、「Ｓ」、「ｐ」、「ｑ」、「ｒ」、「ｓ」が表記された、９個の文字ボタン１５を表示することができる。
【００２６】
つまり、従来の小さい画面に最大限の情報を表示かつ操作性を保持するためにボタンサイズ等を最適化した場合、第１画面に最適化したボタンサイズで表示する。そこに重畳して第２画面をウィンドウ表示させるということは、現在の選択に不要な情報を表示しているという点で誤操作を招くという上述の課題と、それに加えて、ウィンドウ表示の大きさの制約により本来選択すべき部分の領域が小さくなり、操作性の低下を招くという課題があった。
【００２７】
そこで、本実施形態の第２画面１３は、上述のごとく、第１画面１２と同形状で同サイズとした。
これにより、第２画面１３が画面全体を使えることから、選択領域の減少を招くことなく最適な操作性を保持することができる。
さらにまた、本実施形態の制御部８は、第１画面１２で文字群ボタン１４が操作されると、この文字群ボタン１４に対応する数値ボタン１６を第２画面１３にアニメーション表示させる構成としている。
【００２８】
このため、例えば、第１画面１２で、「２」が表記された文字群ボタン１４を操作すると、図７のごとく、第１画面１２の文字群ボタン１４は、第２画面１３の数値ボタン１６の位置に徐々に移動する。また、図７において、例えば「３」が表記された文字群ボタン１４のように、第１画面１２で操作されていない文字群ボタン１４は、徐々に文字ボタン１５へと変化する。したがって、その切り替え過程を認識することができ、第２画面１３での数値ボタン１６の位置を認識しやすいものとなる。
【００２９】
さらにまた、本実施形態においては、図８に示すように、制御部８は、第２画面１３に表示される文字ボタン１５と数値ボタン１６の表示色を異ならせている。このため、文字ボタン１５と数値ボタン１６を容易に区別することができ、繁忙な病院業務においても、誤った選択がされないようにしている。
さらにまた、本実施形態においては、制御部８は、数値入力モードと数値文字入力モードを有し、数値入力モードの時には、図９のごとく、数値「０」から「９」を決定する数値ボタン１６を、第１画面１２に１０個（複数個）表示させている。このため、数値の入力だけで良い時（例えばセンサＩＤの修正がある場合などは数字の入力だけでよい）、この時は、第１画面１２だけで数値を選択できるので、繁忙な病院業務において、利便性の高い物となる。
【産業上の利用可能性】
【００３０】
したがって、たとえばパスワードなどの文字入力をおこなう電子機器と、文字入力方法として、広く活用が期待されるものである。
【符号の説明】
【００３１】
１  測定器
１ａ  本体ケース
２  血糖値センサ
２ａ  点着部
３  センサ装着部
４  バーコードリーダ
５  表示部
６  電源ボタン
７  測定部
８  制御部
９  記憶部
１０  文字ボックス
１１  基本キー
１２  第１画面
１３  第２画面
１４  文字群ボタン
１５  文字ボタン
１６  数値ボタン
１７  文字列決定ボタン
【図１】
2016031550.tif 000003
【図２】
2016031550.tif 000004
【図３】
2016031550.tif 000005
【図４】
2016031550.tif 000006
【図５】
2016031550.tif 000007
【図６】
2016031550.tif 000008
【図７】
2016031550.tif 000009
【図８】
2016031550.tif 000010
【図９】
2016031550.tif 000011